(57)【要約】【課題】障子が装着される主窓枠を、屋内側から簡単に交換することができる窓枠およびこれを備えた窓を提供することを課題とする。【解決手段】  外壁躯体Ａに取り付けられ、主窓枠４との連結部７９，９１，１０６を備えた捨て枠（支持枠）３と、この捨て枠３の連結部７９，９１，１０６に取外し可能に連結されたる主窓枠４とを備え、主窓枠４は、捨て枠３に対し屋内側に着脱可能に構成されている。従って、主窓枠４を屋内側に引き出すことにより、主窓枠４を開口部および捨て枠３から屋内側に離脱させることができ、また、逆の手順で主窓枠４を開口部および捨て枠３に装着することができる。【選択図】図５
2006233756.tif 000002
【特許請求の範囲】
【請求項１】
外壁躯体に取り付けられ、主窓枠との連結部を備えた支持枠と、この支持枠の連結部に取外し可能に連結されたる主窓枠とを備え、
前記支持枠の下枠には、前記主窓枠を下側から支持する断面略凹状の下枠支持部と、この下枠支持部よりも上方に延びる立設片部とが形成され、前記主窓枠の下枠には、前記下枠支持部に係止する下向きの係止片部が形成され、前記立設片部の室内側および前記係止片部の室外側のいずれか一方には、他方に当接する下シール部材が設けられ、
前記下枠支持部に前記係止片部を載置した状態で前記主窓枠を室内側から室外側に向かって前記支持枠に回動載置することで、前記立設片部と前記係止片部との間に挟んだ前記下シール部材を押圧可能に構成されていることを特徴とする窓枠。
【請求項２】
断面方向において、前記下枠支持部の室内側には、斜め上向きに延在する傾斜片部が形成されていることを特徴とする請求項１に記載の窓枠。
【請求項３】
前記支持枠の下枠には、前記下枠支持部よりも上方かつ前記立設片部よりも下方位置から室外側に延びる下枠本体部が形成され、
前記下枠支持部と前記係止片部とは、前記下枠本体部よりも下方位置で当該下枠支持部および係止片部を貫通する固定具により固定されることを特徴とする請求項１または請求項２に記載の窓枠。
【請求項４】
前記主窓枠は、前記係止片部が外壁係合片部である半外付けの窓枠を利用したものであることを特徴とする請求項１から請求項３のいずれかに記載の窓枠。
【請求項５】
請求項１から請求項４のいずれかに記載の窓枠と、この窓枠を構成する主窓枠に装着した障子とを備えたことを特徴とする窓。
【発明の詳細な説明】
【技術分野】
【０００１】
本発明は、外壁躯体に取り付けられる支持枠と、この支持枠に連結され、かつ障子が装着される主窓枠とから成る窓枠およびこれを備えた窓に関するものである。
【背景技術】
【０００２】
この種の従来の窓枠として、外壁開口部に装着した支持枠と、支持枠の枠内に、障子が装着される主窓枠を着脱自在に嵌合させたものが、知られている（例えば、特許文献１参照）。支持枠には、その見込み方向の両端部に、内装材に係合する内装材保持部、および外装材に係合する外装材保持部（外壁係合片部）が形成されている。また、支持枠に対し主窓枠の見込み寸法は、十分に短く構成されており、主窓枠は、屋外側から支持枠の枠内に嵌め込むようにして、屋外側から着脱自在に装着されている。これにより、外装材および内装材の改修を必要とすることなく、主窓枠（および障子）を簡単に交換することができると共に、異種の主窓枠（および障子）への改修が可能になる。
【０００３】
【特許文献１】特開平１１−１３１９１５号公報（第２頁、図１、図３）
【発明の開示】
【発明が解決しようとする課題】
【０００４】
このような、従来の窓枠（窓）では、主窓枠を屋外側から着脱させる構造であるため、例えば２階以上の階層における主窓枠の改修工事では、足場を設置する必要があり、工事全体として大掛かりになる問題があった。
【０００５】
本発明の目的は、障子が装着される主窓枠を、屋内側から簡単に交換することができる窓枠およびこれを備えた窓を提供することにある。
【課題を解決するための手段】
【０００６】
本発明の窓枠は、外壁躯体に取り付けられ、主窓枠との連結部を備えた支持枠と、この支持枠の連結部に取外し可能に連結されたる主窓枠とを備え、支持枠の下枠には、主窓枠を下側から支持する断面略凹状の下枠支持部と、この下枠支持部よりも上方に延びる立設片部とが形成され、主窓枠の下枠には、下枠支持部に係止する下向きの係止片部が形成され、前記立設片部の室内側および前記係止片部の室外側のいずれか一方には、他方に当接する下シール部材が設けられ、前記下枠支持部に前記係止片部を載置した状態で前記主窓枠を室内側から室外側に向かって前記支持枠に回動載置することで、前記立設片部と前記係止片部との間に挟んだ前記下シール部材を押圧可能に構成されていることを特徴とする。
【０００７】
この構成によれば、主窓枠を室内側に引き出すことにより、主窓枠を開口部および支持枠から室内側に離脱させることができる。また、逆の手順で主窓枠を開口部および支持枠に装着（連結）することができる。また、外装材（外壁仕上げ材）が支持枠に係合していても、この捨て枠は、開口部への装着状態を維持するため、外装材の改修を必要としない。なお、主窓枠の対向する枠とは、上枠および下枠の関係、並びに両縦枠の関係を言う。
【０００８】
また、主窓枠を装着するときに、その係止片部を支持枠の下枠支持部に載せ込むことができ、主窓枠の装着作業を容易に行うことができる。特に、下枠支持部が断面略凹状に形成されているため、下枠支持部に主窓枠を載せ込んだ状態で、主窓枠が見込み方向に位置ずれすることがなく、主窓枠の支持枠への位置合わせやその後のビス止め等の作業を、安定に行うことができる。
【０００９】
さらに、主窓枠を幾分傾けた状態で下枠支持部に載せ込むようにし、その後、主窓枠を支持枠に押し付けるようにすれば、下シール部材が、支持枠の立設片部と主窓枠の係止片部との間に挟持される。すなわち、主窓枠を下枠支持部に単純に載せ込むだけで、下枠廻りに下シール部材を介装することができ、シールのための特別な作業を必要としない。
【００１０】
この場合、断面方向において、下枠支持部の室内側には、斜め上向きに延在する傾斜片部が形成されていることが、好ましい。
【００１１】
この構成によれば、下枠支持部に主窓枠を載せ込むときに、傾斜片部をガイドにしてこれを行うことができ、下枠支持部の溝幅が狭くても、主窓枠を簡単に載せ込むことができる。
【００１２】
また、前記支持枠の下枠には、前記下枠支持部よりも上方かつ前記立設片部よりも下方位置から室外側に延びる下枠本体部が形成され、前記下枠支持部と前記係止片部とは、前記下枠本体部よりも下方位置で当該下枠支持部および係止片部を貫通する固定具により固定されることが好ましい。
【００１３】
この構成によれば、室内外に延びる下枠本体部の下方に形成した下枠支持部に主窓枠の係止片部を載置するとともに、下枠支持部と係止片部とをビス等の固定具で固定する連結作業と同時に、下枠本体部の上方に形成した立設片部と主窓枠の係止片部とが下シール部材でシールされるため、特別なシール作業を必要とせず、主窓枠の支持枠への連結作業を容易にすることができる。また、下枠本体部よりも下方の位置で下枠支持部と係止片部とを固定具により固定することで、この貫通孔の上方が下枠本体部で覆われることになるため、貫通孔から室内側への雨水等の浸入を防止することができ、止水性を確保することができる。
【００１４】
これらの場合、主窓枠は、係止片部が外壁係合片部である半外付けの窓枠を利用したものであることが、好ましい。
【００１５】
この構成によれば、生産個数が極端に多く且つ最も製品種別の多い半外付けの窓枠を主窓枠に利用することで、既存の主窓枠と、障子と共に種別の異なる窓枠、或いは障子と共に機能の異なる主窓枠等を、自由に選択して交換することができる。
【００１６】
本発明の窓は、上記いずれかの窓枠と、この窓枠を構成する主窓枠に装着した障子とを備えたことを特徴とする。
【００１７】
この構成によれば、内装材および外装材の改修を必要とすることなく、障子と共に主窓枠を、室内側から簡単に改修することができる。また、改修において、障子と共に異なる種別の主窓枠を設けることができる。
【発明の効果】
【００１８】
以上のように、本発明の窓枠およびこれを備えた窓によれば、主窓枠と共に障子を室内側に着脱することができる。すなわち、少なくとも外装材の改修を必要とすることなく、窓の機能部分を室内側から簡単に交換することができる。したがって、足場等の付帯工事を必要とすることなく且つ低コストで、窓回りのリフォームを行うことができる。
【発明を実施するための最良の形態】
【００１９】
以下、添付図面を参照して、本発明の一実施形態に係る窓枠を適用した引違い窓について説明する。図１および図２に示すように、第１実施形態の引違い窓１は、外壁開口部Ａの屋内側に主窓部２を構成すると共に、屋外側にて外壁開口部Ａに固定される支持枠としての捨て枠３を設けたものである。主窓部２は、捨て枠３に連結される主窓枠４とこれに装着した引違い形式の障子５および網戸６とから成り、主窓枠４は、外壁開口部Ａの見込み内に収まるように配設されている。主窓枠４と捨て枠３とは、主窓部２の見込み方向中間位置で水密に連結されており、引違い窓１の窓枠を構成している。
【００２０】
主窓枠４は、最も生産個数の多い、いわゆる半外付けの窓枠をそのまま利用したものである。このため、これを外壁開口部Ａに適切に装着すべく、外壁開口部Ａの屋内側には四周に亘ってスペーサブロック７が設けられており、主窓枠４の屋内側半部はこのスペーサブロック７を枕にして、取り付けられている。屋内側の内装材Ｂとの見切り部分には、四周に亘ってサブブロック８が設けられており、主窓枠４の屋内側端部は、このサブブロック８にビス止めされている。また、サブブロック８と内装材Ｂの端部とを覆うように、窓額縁９が取り付けられている。そして、詳細は後述するが、本実施形態の引違い窓１では、窓額縁９およびスペーサブロック７を取り外すことで、主窓枠（および障子５）４を捨て枠３から離脱させ、屋内側から交換できるようになっている。
【００２１】
主窓部２は、屋内側の見えがかり部分に樹脂材を組み込み且つ屋内外の中間に断熱材２４をサンドイッチ（下枠のみ）したものであり、屋内側の意匠性を考慮すると共に、屋内外間の断熱性を考慮したものである。そして、主窓部２は、主窓枠４に、屋外側の外障子５Ａ、屋内側の内障子５Ｂおよび網戸６を開閉自在に組み込んで構成されている。
【００２２】
主窓枠４は、アルミニウム形材の金属枠１１と、金属枠１１の屋内側に添設した樹脂製の装飾枠１２とで構成されている。すなわち、上枠、下枠および両縦枠から成る主窓枠４は、屋外側の金属枠１１と屋内側の装飾枠１２とで構成されている。特に詳細は図示しないが、内外各障子５Ａ，５Ｂは、アルミニウム形材の金属框と、金属框の屋内側に添設した樹脂製の装飾框と、これら框体に組み込んだ複層ガラス等のパネル体で構成されている。
【００２３】
金属枠１１は、金属上枠２１、金属下枠２２および左右の両金属縦枠２３，２３を方形に枠組みして構成されている。また、金属下枠２２は、中間に樹脂製の断熱材２４を挟んで外側金属下枠２２Ａと内側金属下枠２２Ｂとで構成されている。この場合、断熱材２４は、外側金属下枠２２Ａの屋内側端に設けたあり溝と内側金属下枠２２Ｂの屋外側端に設けたあり溝とにより、見込み方向の両端部を接合するようにして挟持されている。
【００２４】
金属上枠２１は、略水平に延びる金属上枠本体２７と、金属上枠本体２７から下垂した網戸上レール２８および外側上レール２９と、金属上枠本体２７の屋内側端から屈曲して延びる装飾枠取付部３０と、金属上枠本体２７の略中間位置から上方に延びると共にスペーサブロック７に添設した上連結片部３１とで一体に形成されている。また、金属上枠２１の外側上レール２９の位置から屋内端を越えて樹脂上カバー枠３３が設けられ、また樹脂上カバー枠３３の下面に金属カバー枠３４が設けられている。そして、抱き合わせるようにして垂設した樹脂上カバー枠３３の垂下片と金属カバー枠３４の垂下片とにより、下向きの内側上レール３５が形成されている。
【００２５】
外側金属下枠２２Ａは、段付き中空形状の金属下枠本体３７と、金属下枠本体３７から上方に延びる網戸下レール３８および外側下レール３９と、金属下枠本体３７の屋外側端から下垂する下向き掛止片部４０と、金属下枠本体３７の屋内側端から屈曲して延びる下水返し部４１と、下水返し部４１から上方に延びる内側下レール４２と、金属下枠本体３７の屋内側端から下垂した下連結片部（係止片部）４３と、で一体に形成されている。また、内側下レール４２の屋外側には、シールを取り付けるためのシール取付枠４５が設けられている。内側金属下枠２２Ｂは、内側下レール４２と対峙する下鉛直片４７と、上記のサブブロック８に固定される下水平片４８とで逆「Ｌ」字状に形成されている。
【００２６】
各金属縦枠２３は、見込み方向に延在する金属縦枠本体５０と、金属縦枠本体５０から内向き延びる外側折曲げ片５１および障子引寄せ片５２と、金属縦枠本体５０の屋外側端から外側に突出したＬ字掛止片部５３と、金属縦枠本体５０の見込み方向中間位置から内向き延びるシール取付け部５４と、金属縦枠本体５０の屋内側端部に設けたブロック突当て部５５と、金属縦枠本体５０の見込み方向中間位置から外向きに延びる縦連結片部５６と、で一体に形成されている。但し、内障子が当接する図示右側の金属縦枠２３では、障子引寄せ片５２が屋内側に寄った位置に形成され、且つ障子引寄せ片５２の近傍には仕切り片５７が形成されている。
【００２７】
このように構成された金属枠１１は、その上連結片部３１、下連結片部４３および両縦連結片部５６，５６が、見付け方向外側に鍔状に張り出しており、転用した半外付けの窓枠（主窓枠４）における本来の外壁係合片部であるが、実施形態のものは、この部分が捨て枠３との連結部位となる主窓枠連結片部を構成している。
【００２８】
一方、装飾枠１２は、装飾上枠６１、装飾下枠６２、両装飾縦枠６３，６３を方形に枠組みして構成されている。装飾上枠６１は、上記の樹脂上カバー枠３３と一体に形成されている。装飾下枠６２は、内側下レール４２から屋内側端までの内側金属下枠２２Ｂの上面を覆うように設けられている。また、図示左側の装飾縦枠６３は、見込み方向において、金属縦枠２３と重なるようしてシール取付け部４５の位置から屋内側端まで延設し、図示右側の装飾縦枠６３は、障子引寄せ片５２の位置から屋内側端まで延設している。
【００２９】
捨て枠３は、いずれもアルミニウムの押出し形材である捨て上枠（支持上枠）７１、捨て下枠（支持下枠）７２および両捨て縦枠（支持縦枠）７３，７３を四周枠組みして構成されている。捨て上枠７１は、水平に延在する捨て上枠本体７６と、捨て上枠本体７６の屋外側端から上方に延びる上外壁係合片部７７と、捨て上枠本体７６の略中間位置から下垂する上外壁見切り片部７８と、捨て上枠本体７６の屋内側端から下方に延びる上枠連結片部７９と、で一体に形成されている。
【００３０】
上外壁見切り片部７８の上部には、屋外側に向かって突出するように係止突起８１が形成されており、この係止突起８１に外壁仕上げ材Ｃの下地となる上部下地ブロック８２が係止されている。すなわち、外壁仕上げ材Ｃは、上記の上外壁係合片部７７を押さえると共に上部下地ブロック８２を押さえ、上外壁見切り片部７８の位置まで内側に巻き込むように施工されている。上枠連結片部７９には、金属上枠２１の上連結片部３１が平行に対面しており、上枠連結片部７９の下部には、上連結片部３１を貫通して螺合するビス（固定具）用のねじ込み凹部８３が形成されている。
【００３１】
捨て下枠７２は、略水平に延在する捨て下枠本体８７と、捨て下枠本体（支持下枠本体）８７の屋外側端から前方に延びる水切り片部８８と、捨て下枠本体８７の屋外側端から下垂する下外壁係合片部８９と、捨て下枠本体８７の屋外側端から略横「Ｌ」字状に屋内側に延びる上向き掛止片部９０と、捨て下枠本体８７の屋内側端から上方に延びる立設片部９１と、捨て下枠本体８７の屋内側端から「Ｕ」字状に延びる下枠支持部９２と、下枠支持部９２の屋内側上端部から斜め屋内側に延びる傾斜片部９３と、下枠支持部９２の屋内側下端部から「Ｌ」字状に延びる後脚部９４と、で一体に形成されている。そして、傾斜片部９３の先端および後脚部９４の先端がスペーサブロック７に位置決めされるように当接している。
【００３２】
下外壁係合片部８９は、外壁仕上げ材Ｃにより押さえられており、外壁仕上げ材Ｃは水切り片部８８の下面位置まで施工されている。上向き掛止片部９０の先端部は、鈎状に折り返されており、この部分が前シール部材９５を介して金属下枠２２の下向き掛止片部４０に掛止されている。立設片部９１には、上端部と中間部との２箇所に小突起９６，９６が形成されており、この上下両小突起９６，９６間にしたシール部材９９が装着されている。また、傾斜片部９３は、立設片部９１に対し上部が十分に開くように傾斜し、捨て枠３に対する主窓枠４の着脱を適切にガイドできるようになっている。
【００３３】
この場合、金属下枠２２の下連結片部（掛止片部）４３は、傾斜片部９３を案内にして下枠支持部９２に着座するようにして係止され、またこの状態で、立設片部９１と金属下枠２２の下連結片部４３とが小突起９６の突出寸法分、間隙を存して対面している。すなわち、立設片部９１と下連結片部４３とにより下シール介設部９８が構成されており、この下シール介設部９８に捨て下枠７２と金属下枠２２とを水密にシールする下シール部材９９が介設されている。なお、図中の符号１００は、捨て下枠本体８７の上面に侵入した雨水を排水するための水抜き部材である。
【００３４】
各捨て縦枠７３は、見込み方向に延在する捨て縦枠本体（支持縦枠本体）１０３と、捨て縦枠本体１０３の屋外側端から見付け方向の外側に延びる縦外壁係合片部１０４と、捨て縦枠本体１０３の見込み方向の略中間位置から内側に延びる縦外壁見切り片部１０５と、捨て縦枠本体１０３の屋内側が端部から内側に延びる縦枠連結片部１０６と、で一体に形成されている。
【００３５】
縦外壁見切り片部１０５の基部寄りには、屋外側に向かって突出するように係止突起１０９が形成されており、この係止突起１０９に外壁仕上げ材Ｃの下地となる側部下地ブロック１１０が係止されている。この場合、外壁仕上げ材Ｃは、上記の外壁係合片部１０４を押さえると共に側部下地ブロック１１０を押さえ、縦外壁見切り片部１０５の位置まで内側に巻き込むように施工されている。
【００３６】
縦外壁見切り片部１０５の先端部は、金属縦枠２３のＬ字掛止片部５３の部分に外側から当接している。また、縦枠連結片部１０６には、金属縦枠２３の縦連結片部５６が平行に対面しており、縦枠連結片部１０６の基部側には、縦連結片部５６を貫通して螺合するビス（固定具）用のねじ込み凹部１１２が形成され、先端側には、縦シール装着部１１３が形成されている。そして、この縦シール装着部１１３と金属縦枠２３の縦連結片部５６とが間隙を存して対峙している。すなわち、縦シール装着部１１３と縦連結片部５６とにより縦シール介設部１１５が構成されており、この縦シール介設部１１５に捨て縦枠７３と金属縦枠２３とを水密にシールする縦シール部材１１６が介設されている。
【００３７】
このように構成された捨て枠３は、その上枠連結片部７９、下枠連結片部９１および両縦枠連結片部１０６，１０６が、見付け方向内側に張り出しており、主窓部連結片部に対面する捨て枠連結片部（連結部）を構成している。そして、この下枠連結片部７９と金属枠１１の下連結片部４３との間に下シール介設部９８が構成され、且つ両枠連結片部１０６，１０６と金属枠１１の両縦連結片部５６，５６との間にそれぞれ縦シール介設部１１５，１１５が構成されている。
【００３８】
次に、図３、図４および図５を参照して、捨て枠３に対する主窓枠４の着脱方法について説明する。例えばリフォーム（改修工事）において、古くなった主窓部２を交換する場合や、辷出し窓等の他の窓に変更する場合には、障子５を外した後、ビス止め等で取り付けられている窓額縁９を取り外す（図３参照）。次に、適宜固定ビス等を外して、外壁開口部Ａに四周に亘って設けられているスペーサブロック７を取り外す（図４参照）。
【００３９】
スペーサブロック７を外すと、主窓枠４が屋内側に完全に露出する。ここで、金属上枠２１を捨て上枠７１に固定しているビス、および各金属縦枠２３を各捨て縦枠７３に固定しているビスを外す。この状態では、捨て枠３に対する主窓枠４の固定が解かれるため、次に主窓枠４を持って、これをいったん斜め屋内側に倒した後、上方に引き抜くようにして捨て枠３から離脱させる（図５参照）。すなわち、金属下枠２２の下連結片部４３を、捨て下枠３の立設片部９１、下枠支持部９２および傾斜片部９３から成る断面略「Ｖ」字状部分から引き抜くようにする。次に、新たな主窓部（主窓枠４）２を装着するが、その前に下シール部材９９および両縦シール部材１１６，１１６を交換しておくことが好ましい。
【００４０】
続いて、新たな主窓部（主窓枠４）２を装着する場合には、逆の手順となるが、新たな主窓枠４を幾部傾けて持って、先ず傾斜片部９３を案内にして、金属下枠２２の下連結片部４３が下枠支持部９２に載るようにして仮置きする。主窓枠４を仮置きしたら、これを捨て枠３に対し位置決めしつつ押し付ける。これにより、下シール部材９９および縦シール部材１１６が変形することなく、主窓枠４がセットされる。以降は、上記の逆の手順で、主窓枠４の捨て枠３への固定、スペーサブロック７の固定および窓額縁９の固定を行って、作業を完了する。
【００４１】
このように、外壁仕上げ材Ｃと一体化（係合）されている捨て枠３に対し、主窓枠４を屋内側から交換できるようにしているため、外壁仕上げ材Ｃの改修工事を必要とすることなく、主窓枠４の交換（窓のリフォーム）が可能になる。しかも、主窓枠４を屋内側から着脱することができるため、足場工事等を必要とすることなく、主窓部２の交換が可能になる。
【００４２】
なお、新設工事において、外壁工事に合わせて捨て枠３のみを施工し、内装工事の後に主窓部２を施工することも可能である。また、障子５を組み込んだ主窓枠４に半外付けの窓枠を汎用的に用い、これに形態の異なる複数種の捨て枠３を組み合わせて、バリエーションに富んだ引違い窓１を構成することも可能である。
【００４３】
次に、本発明の第２実施形態に係る引違い窓１について、図６および図７に基づいて説明する。
第２実施形態の引違い窓１も、前述の第１実施形態と同様に、外壁開口部Ａの屋内側に主窓部２を構成すると共に、屋外側に支持枠としての捨て枠３を設けたものである。また、主窓部２は第１実施形態のものと略同一のものであり、半外付けの窓枠をそのまま転用した主窓枠４と、これに装着した引違い形式の障子５および網戸６とで構成されている。主窓枠４は、外壁開口部Ａの見込み内に収まるように配設され、主窓枠４と捨て枠３とは、主窓部２の見込み方向中間位置で水密に連結されている。そこで、以降の説明では、主窓部２の説明は省略し、捨て枠３における第１実施形態と異なる部分について主に説明する。
【００４４】
図６および図７に示すように、支持枠としての捨て枠３Ａは、いずれもアルミニウムの押出し形材である捨て上枠（支持上枠）７１Ａ、捨て下枠（支持下枠）７２Ａおよび両捨て縦枠（支持縦枠）７３Ａ，７３Ａを四周枠組みして構成されている。
捨て上枠７１Ａは、水平に延在する捨て上枠本体（支持上枠本体）７６Ａと、捨て上枠本体７６Ａの屋外側端から上方に延びる上外壁係合片部７７Ａと、捨て上枠本体７６Ａの略中間位置から下垂する上外壁見切り片部７８Ａと、捨て上枠本体７６Ａの屋内側端から下方に延びる上枠連結片部７９Ａと、で一体に形成されている。上枠連結片部７９Ａには、金属上枠２１の上連結片部３１が平行に対面しており、上枠連結片部７９Ａには、上連結片部３１を貫通するビス（固定具）が螺合し、捨て上枠７１Ａと金属上枠２１とが連結されるようになっている。そして、上枠連結片部７９Ａと金属上枠２１の上連結片部３１とが間隙を存して対峙し、これらの間には、捨て上枠７１Ａと金属上枠２１とを水密にシールする上シール部材７９Ｂが介設されている。
【００４５】
捨て下枠７２Ａは、室内外に延びる下枠本体部としての捨て下枠本体（支持下枠本体）８７Ａと、捨て下枠本体８７Ａの屋外側端から前方に延びる水切り片部８８Ａと、捨て下枠本体８７Ａの屋外側端から下垂する下外壁係合片部８９Ａと、捨て下枠本体８７Ａの屋内側端から上方に延びる立設片部（下枠連結片部）９１Ａと、捨て下枠本体８７Ａの屋内側端から下方に延びる下枠支持部９２Ａとで一体に形成されている。下枠支持部９２Ａは、金属下枠２２の下連結片部４３を下側から支持し、またこの状態で、立設片部９１Ａと金属下枠２２の下連結片部４３とが間隙を存して対面している。すなわち、下枠支持部９２Ａと下連結片部４３とにより下シール介設部が構成されており、この下シール介設部に捨て下枠７２Ａと金属下枠２２とを水密にシールする下シール部材９９Ａが介設されている。また、金属下枠２２の下連結片部４３と捨て下枠７２Ａの下枠支持部９２Ａとは、これらを室内側から貫通するビス（固定具）４３Ａにより連結されており、このビス４３Ａの室外側先端部は、室内側が高くなるように傾斜した捨て下枠本体８７Ａの下側に位置している。このような、捨て下枠本体８７Ａよりも下方の位置で下枠支持部９２Ａと下連結片部４３とをビス止めすることで、ビス孔の上方が捨て下枠本体８７Ａで覆われることになるとともに、ビス４３Ａよりも上方に下シール部材９９Ａが設けられているため、ビス孔から室内側への雨水等の浸入を防止することができ、止水性を確保することができるようになっている。
【００４６】
各捨て縦枠７３Ａは、見込み方向に延在する捨て縦枠本体（支持縦枠本体）１０３Ａと、捨て縦枠本体１０３Ａの屋外側端から見付け方向の外側に延びる縦外壁係合片部１０４Ａと、捨て縦枠本体１０３Ａの見込み方向の略中間位置から内側に延びる縦外壁見切り片部１０５Ａと、捨て縦枠本体１０３Ａの屋内側端部から内側に延びる縦枠連結片部１０６Ａと、で一体に形成されている。縦枠連結片部１０６Ａには、金属縦枠２３の縦連結片部５６が平行に対面しており、縦枠連結片部１０６Ａには、縦連結片部５６を貫通するビス（固定具）が螺合し、捨て縦枠７３Ａと金属縦枠２３とが連結されるようになっている。そして、縦枠連結片部１０６Ａと金属縦枠２３の縦連結片部５６とが間隙を存して対峙し、これらの間には、捨て縦枠７３Ａと金属縦枠２３とを水密にシールする縦シール部材１１６Ａが介設されている。
【図面の簡単な説明】
【００４７】
【図１】本発明の第１実施形態に係る引違い窓の縦断面図である。
【図２】第１実施形態に係る引違い窓の横断面図である。
【図３】第１実施形態に係る引違い窓における主窓枠の着脱手順（１）を示す縦断面図である。
【図４】第１実施形態に係る引違い窓における主窓枠の着脱手順（２）を示す縦断面図である。
【図５】第１実施形態に係る引違い窓における主窓枠の着脱手順（３）を示す縦断面図である。
【図６】本発明の第２実施形態に係る引違い窓の縦断面図である。
【図７】第２実施形態に係る引違い窓の横断面図である。
【符号の説明】
【００４８】
１…引違い窓、２…主窓部、３，３Ａ…捨て枠、４…主窓枠、５…障子、６…網戸、７…スペーサブロック、１１…金属枠、２１…金属上枠、２２…金属下枠、２３…金属縦枠、３１…上連結片部、４３…下連結片部、４３Ａ…ビス（固定具）、５６…縦連結片部、７１，７１Ａ…捨て上枠、７２，７２Ａ…捨て下枠、７３，７３Ａ…捨て縦枠、７７，７７Ａ…上外壁係合片部、７９，７９Ａ…上枠連結片部、７９Ｂ…上シール部材、８９，８９Ａ…下外壁係合片部、９１，９１Ａ…立設片部、９２，９２Ａ…下枠支持部、９３…傾斜片部、９８…下シール介設部、９９，９９Ａ…下シール部材、１０４，１０４Ａ…縦外壁係合片部、１０６，１０６Ａ…縦枠連結片部、１１５…縦シール介設部、１１６，１１６Ａ…縦シール部材、Ｂ…内装材、Ｃ…外壁仕上げ材。
【図１】
2006233756.tif 000003
【図２】
2006233756.tif 000004
【図３】
2006233756.tif 000005
【図４】
2006233756.tif 000006
【図５】
2006233756.tif 000007
【図６】
2006233756.tif 000008
【図７】
2006233756.tif 000009